(57)【要約】【課題】  １つの管体から他の管体にシューと圧電体振動子を外して、他の管体に取り付ける場合に超音波の送受信の調整等に時間がかかるというという点である。【解決手段】  ケース６の上面に摺動部材８によって摺動される２つの超音波振動子９、１０が装着され、２つの超音波振動子９、１０を貫通する摺動軸１１が装着され、摺動軸１１の端部に一方の挟持部材１２の支持部材１２ａが固着され、支持部材１２ａと一体に一方の湾曲部１２ｂが形成され、一方の湾曲部１２ｂと一体に一方の把持部１２ｃが形成され、一方の湾曲部に対向して他方の挟持部材１３の他方の湾曲部１３ａと、他方の湾曲部１３ａと一体に他方の把持部１３ｂが形成され、一方の湾曲部１２ｂと一方の把持部１２ｃの間と他方の湾曲部１３ａと他方の把持部１３ｂの間に回動支点１４が設けられ、一端が一方の把持部１２ｃに固着され、他端が他方の把持部１３ｂに貫通するように構成されている。【選択図】図１
2006047243.tif 000002
【特許請求の範囲】
【請求項１】
内部に発振器、受信器及び信号処理装置を設け、側面に表示装置を設けたケースと、該ケースの上面に装着され、摺動部材及び摺動軸によって摺動可能に装着され、前記発振器と前記受信器がそれぞれ接続される２つの超音波振動子と、前記摺動軸の端部に固着される湾曲部を設け、該湾曲部と一体に把持部を設けた一方の挟持部材と、前記湾曲部に対向した湾曲部を有し、該湾曲部と一体に把持部を設けた他方の挟持部材とからなり、前記一方の挟持部材と前記他方の挟持部材のそれぞれの前記湾曲部と把持部の間を支点部材で支持し、前記２つの超音波振動子の上面を前記一方の挟持部材の湾曲部より僅かに突出するように構成し、前記２つの超音波振動子の上面及び前記一方の挟持部材の湾曲部と前記他方の挟持部材の湾曲部で流量が計測される流体が流れる管体を挟持することを特徴とする超音波流量計。
【請求項２】
前記２つの超音波振動子は前記摺動部材及び前記摺動軸によって前記２つの超音波振動子の間隔を自在に調整することを特徴とする請求項１記載の超音波流量計。
【発明の詳細な説明】
【技術分野】
【０００１】
本発明は、挟持部材で管体を挟持することにより、管体を流れる流体を計測するようにした超音波流量計に関するものである。
【背景技術】
【０００２】
従来のこの種の超音波送受波装置としては、図５に示すように、管体１の表面に対して４５度の角度を持った第１のシュー２を管体１の側面に装着し、第１のシュー２の端部に第１の圧電体振動子３を装着し、又、管体１を挟んで対向する位置に第２のシュー４を装着し、この第２のシュー４の端部に第２の圧電体振動子５を装着した超音波流量計が提案されている。
【０００３】
このような超音波流量計では、第１の圧電体振動子３で発生した超音波は、第１のシュー２を伝播して管体１の流体１ａを通過し、管体１から第２のシュー４を通って第２の圧電体振動子５で受信され、又、第２の圧電体振動子５から照射された超音波が第２のシュー４を通り、管体１の流体１ａを通過して第１のシュー２に入射され、第１の圧電体振動子３で受信するようにすることを交互に繰り返すことにより、第１の圧電体振動子３からの超音波が第２の圧電体振動子５で受信するまでの伝搬時間と第２の圧電体振動子５からの超音波が第１の圧電体振動子３で受信するまでの時間の差から管体１を流れる伝搬媒体の流量を計測するようにしている。
【０００４】
しかしながら、このような従来の超音波送受波装置では、第１のシュー２を介して装着された第１の圧電体振動子３と第２のシュー４を介して装着された第２の圧電体振動子５を離して管体１に装着しなければならないので、第１のシュー２と第１の圧電体振動子３及び第２のシュー４と第２の圧電体振動子５を簡単に別の管体に装着することは難しく、別の管体に装着する場合は、第１のシュー２と第１の圧電体振動子３及び第２のシュー４と第２の圧電体振動子５を外して他の管体に装着し、さらに、超音波の送受信の調整等に時間がかかるという問題があった。
【特許文献１】特願２００３−１６９７２
【発明の開示】
【発明が解決しようとする課題】
【０００５】
解決しようとする問題点は、従来の超音波流量計では、１つの管体から他の管体にシューと圧電体振動子を外して、他の管体に取り付ける場合に超音波の送受信の調整等に時間がかかるというという点である。
【課題を解決するための手段】
【０００６】
本発明では、ケースの内部に発振器及び受信器を設け、ケースの側面に表示装置を設け、２つの超音波振動子がケースの上面に摺動部材及び摺動軸によって摺動可能に装着され、２つの超音波振動子にそれぞれ発振器から発振出力が印加され、超音波振動子からの信号を受信器で受信し、信号処理装置に入力して信号処理して表示し、一方の挟持部材は摺動軸の端部に固着された湾曲部とこの湾曲部と一体の把持部を持ち、他方の挟持部材は一方の挟持部材の湾曲部に対向した湾曲部とこの湾曲部に一体の把持部を有し、一方の挟持部材と他方の挟持部材は湾曲部と把持部のあいだに支点部材で支持され、２つの超音波振動子の上面は一方の挟持部材の湾曲部より僅かに突出するように構成し、超音波振動子の上面及び一方の挟持部材の湾曲部と他方の挟持部材の湾曲部で流量が計測される流体が流れる管体を挟持するものである。
【発明の効果】
【０００７】
本発明の超音波流量計では、ケースと流量を計測する流体が流れる管体を挟持する挟持部材が一体に構成され、管体の大小に関係なく、挟持部材が管体を挟持することにより、超音波振動子が管体と接触し、超音波振動子から超音波を送受信して、管体を流れる流体の流速を簡単に計測することができる。
【発明を実施するための最良の形態】
【０００８】
本発明では、挟持部材で管体を挟持することにより、超音波振動子が管体と接触し、ケース内に装着した発振器から発振出力を一方の超音波振動子に送信し、一方の超音波振動子から管体に超音波を送信し、他方の超音波振動子で受信し、又、他方の超音波振動子から超音波を送信し、一方の超音波振動子で受信することを繰り返すことにより、管体を流れる流体の流れの方向と流れの超音波と反対方向の超音波の到達時間の差から流体の流速を計測し、この計測値をケースの側面に装着した表示装置で表示する。
【実施例】
【０００９】
図１は本発明の実施例の超音波流量計の側面図、図２反対図１の超音波流量計の平面図で、ケース６の中に発振器、受信機及び信号処理装置が内蔵され、ケース６の側面に表示装置７が装着され、ケース６の上面に摺動部材８によって摺動される２つの超音波振動子９、１０が装着され、又、２つの超音波振動子９、１０を貫通する摺動軸１１が装着され、摺動軸１１の端部に一方の挟持部材１２の支持部材１２ａが固着され、支持部材１２ａと一体に一方の湾曲部１２ｂが形成され、さらに、一方の湾曲部１２ｂと一体に一方の把持部１２ｃが形成され、又、一方の湾曲部に対向して他方の挟持部材１３の他方の湾曲部１３ａと、他方の湾曲部１３ａと一体に他方の把持部１３ｂが形成され、一方の湾曲部１２ｂと一方の把持部１２ｃの間と、他方の湾曲部１３ａと他方の把持部１３ｂの間に回動支点１４が設けられ、中心部材１５の一端が固定部材１５ａで一方の把持部１２ｃに固定され、中心部材１５の他端は他方の把持部１３ｂを貫通し、中心部材１５の他端に抜け止め部材１５ｂが装着され、中心部材１５の外周にコイルバネ１６が装着されている。
【００１０】
このように構成された本実施例の超音波流量計では、図３に示すように、一方の湾曲部１２ｂと他方の湾曲部１２ａの間隔が一番狭い状態の場合に径の小さい管体１７が挟持され、この管体１７と２つの超音波振動子９、１０と接触するように構成され、又、２つの超音波振動子９、１０の間隔が適宜決定され、２つの超音波振動子９、１０の一方の超音波振動子から超音波が照射されるとともに、他方の超音波振動子の受信機で受信されることにより、超音波が受信される時間差で管体１７内を流れる流体の流量が計測され、又、図４に示すように、一方の湾曲部１２ｂと他方の湾曲部１２ａの間隔が一番広い状態の場合に径の大きい管体１８が挟持され、同様に、２つの超音波振動子９、１０の間隔が適宜決定され、２つの超音波振動子９、１０の一方の超音波振動子から超音波が照射されるとともに、他方の超音波振動子の受信機で受信されることにより、超音波が受信される時間差で管体１７内を流れる流体の流量が計測される。
【００１１】
このように、本実施例では、挟持部材１２、１３の湾曲部１２ｂ、１３ａで管体１７、１８の間の径の管体を適宜挟持することにより、流量を計測することができるので、非常に使い勝手が良いとともに、持ち運びが簡単であるという利点がある。
【産業上の利用可能性】
【００１２】
なお、上記実施例では、一方の把持部１２ｃと他方の把持部１３ｂの回動支点１４の近傍に中心部材１５にコイルバネ１６を装着するようにしたが、一方の把持部１２ｃと他方の把持部１３ｂの回動支点１４から離れた位置にコイルバネを装着するようにしても良い。
【図面の簡単な説明】
【００１３】
【図１】本発明の実施例の超音波流量計の側面図である。
【図２】図１の超音波流量計の平面図である。
【図３】図１の超音波流量計の使用状態を示した側面図である。
【図４】図１の超音波流量計の他の使用状態を示した側面図である。
【図５】従来の超音波流量計の側面断面図である。
【符号の説明】
【００１４】
６                ケース
７                表示装置
８                摺動部材
９、１０          超音波振動子
１１              摺動軸
１２              一方の挟持部材
１３              他方の挟持部材
１４              回動支点
１５              中心部材
１６              コイルバネ
【図１】
2006047243.tif 000003
【図２】
2006047243.tif 000004
【図３】
2006047243.tif 000005
【図４】
2006047243.tif 000006
【図５】
2006047243.tif 000007